(57)【要約】【課題】機差やライフ等に関係なくトナー消費量を正確に算出できるような画像形成装置を提供する。【解決手段】画像情報に対する画像処理および補正処理をデジタル的に行い、入力される多値画像のピクセルカウントを行ってトナー消費量の算出を行う画像形成装置を、入力された多値画像の入力信号値をピクセルごとにカウントするカウント手段７１と、入力信号値に対応する重み付け係数を格納する重み付け係数テーブル７３と、カウント手段７１により入力信号値をカウントする際に、入力信号値に対応する重み付け係数を重み付け係数テーブル７３から取得して、ピクセルごとに重み付けを行う重み付け演算手段７２と、重み付け係数テーブル７３に格納される重み付け係数を書き換える書き換え手段７５とを備える構成とする。【選択図】図１
2006023392.tif 000002
【特許請求の範囲】
【請求項１】
画像情報に対する画像処理および補正処理をデジタル的に行い、入力される多値画像のピクセルカウントを行ってトナー消費量の算出を行う画像形成装置において、
入力された多値画像の入力信号値をピクセルごとにカウントするカウント手段と、
前記入力信号値に対応する重み付け係数を格納する重み付け係数テーブルと、
前記カウント手段により入力信号値をカウントする際に、入力信号値に対応する重み付け係数を前記重み付け係数テーブルから取得して、ピクセルごとに重み付けを行う重み付け演算手段とを備え、
前記重み付け係数テーブルに格納される重み付け係数を可変としたことを特徴とする画像形成装置。
【請求項２】
画像情報に対する画像処理および補正処理をデジタル的に行い、入力される多値画像のピクセルカウントを行ってトナー消費量の算出を行う画像形成装置において、
入力された多値画像の入力信号値をピクセルごとにカウントするカウント手段と、
前記入力信号値に対応する重み付け係数を格納する重み付け係数テーブルと、
前記カウント手段により入力信号値をカウントする際に、入力信号値に対応する重み付け係数を前記重み付け係数テーブルから取得して、ピクセルごとに重み付けを行う重み付け演算手段と、
前記重み付け係数テーブルに格納される重み付け係数を書き換える書き換え手段とを備えることを特徴とする画像形成装置。
【請求項３】
前記書き換え手段は、
互いにトーンが異なる複数のトナーパッチを感光体または転写ベルト上に形成し、
これら複数のトナーパッチを読み取り手段により読み取り、
このトナーパッチの読み取り結果に基づいて中間調ガンマ特性を算出し、
この算出された中間調ガンマ特性に従って前記重み付け係数テーブルに格納される重み付け係数を書き換えることを特徴とする請求項２に記載の画像形成装置。
【発明の詳細な説明】
【技術分野】
【０００１】
本発明は、画像情報に対して画像処理および補正処理をデジタル的に行う電子写真方式を用いる複写機、レーザビームプリンタ、ファクシミリ装置等の画像形成装置に関する。
【背景技術】
【０００２】
一般的に、デジタル複写機のような電子写真装置における画像処理では、スキャナ等の画像入力装置から入力されたデジタルの画像信号に対し、入力信号処理、領域分離処理、色補正処理、黒生成処理、ズーム変倍処理等のデジタル信号処理を行った後、空間フィルタによるフィルタ処理を行い、さらに、中間調補正処理を行って、出力画像信号として出力するようになっている。
【０００３】
図５は、従来のデジタル複写機における画像処理の制御ブロック図を示している。すなわち、入力信号処理部１１０、領域分離処理部１２０、色補正・黒生成処理部１３０、ズーム変倍処理部１４０、空間フィルタ処理部１５０、中間調補正処理部１６０、ピクセルカウント部１７０、トナー消費量算出部１８０から構成されている。
【０００４】
このようなデジタル複写機における画像処理について、図６を参照して説明する。
【０００５】
まず、スキャナ等で読み込まれた原稿のデジタル入力画像信号は、入力信号処理部１１０に入力され、それ以降の画像処理に対する前処理や、画像調整における入力ガンマ補正、変換等が行われる（ステップＳ１０１、Ｓ１０２）。
【０００６】
次に、この画像信号は、領域分離処理部１２０に入力されて、文字領域、網点写真領域等の領域判定が行われ、領域ごとにそれを示す識別信号（領域分離識別信号）が付加される（ステップＳ１０３）。この領域分離識別信号は、以降の処理である空間フィルタ処理部１５０や中間調補正処理部１６０において、各領域別に異なった処理、例えば、網点領域であれば平滑フィルタ処理をその領域に対して行い、また、文字領域であればエッジ強調フィルタ処理を行ったり、中間調のガンマ特性を濃淡差のよりはっきりした特性に変更したりする場合に用いられる。
【０００７】
次の色補正・黒生成処理部１３０で行われる色補正・黒生成処理は（ステップＳ１０４）、装置がカラーである場合に必要となる処理で、領域分離処理部１２０から送られてきたＲＧＢの画像信号に対して、最終的な出力方法であるＣＭＹＫ（イエロー、マゼンタ、シアン、ブラック）の画像信号に変換する処理である。
【０００８】
ＣＭＹＫに変換された画像信号は、ズーム変倍処理部１４０での変倍処理の後（ステップＳ１０５）、空間フィルタ部１５０に入力される。空間フィルタ処理部１５０では、上記の領域分離識別信号や画像モードの設定状態等に応じた空間フィルタを空間フィルタテーブルから選び、ＣＭＹＫに変換された画像信号に対して空間フィルタ処理が行われる（ステップＳ１０６）。なお、空間フィルタテーブルは、空間フィルタ処理を行う際に参照するフィルタ係数のテーブル群であり、状況に応じて任意のテーブル群を選択できるようになっている。
【０００９】
次の中間調補正処理部１６０では、エンジン部での出力特性を補正するために、中間調ガンマ特性の補正が行われる（ステップＳ１０７）。
【００１０】
さらに、中間調補正処理後の画像信号は、ピクセルカウント部１７０に入力され、ピクセル単位でＣＭＹＫ信号ごとに重み付けを行いながらカウンタで積算される（ステップＳ１０８）。そして、ＬＳＵやＬＥＤのエンジン出力側へ出力画像信号が流れる（ステップＳ１１０）。トナー消費量算出部１８０では、ピクセルカウント部１７０で積算されたピクセルカウントの積算値から各色のトナー消費量を算出する（ステップＳ１０９）。算出されたトナー消費量は、トナーニアエンド判定やトナー消費量データの蓄積等に用いられる。
【００１１】
上述のようなデジタル複写機のエンジン側の制御として、感光体や現像剤等の経時変化を抑えるために、露光量やトナー濃度の補正量、現像バイアス値のコントロール等のプロセス条件の設定を制御することによって、初期からライフエンドまで一定のトナー濃度や画像出力を得るよう制御している。
【００１２】
図７は、エンジン側の制御であるトナー濃度コントロール処理を簡単に示したフローチャートである。このトナー濃度コントロール処理では、ライフカウンタや環境センサ等の数値によって、トナー濃度センサによる制御値を決め（ステップＳ１１１、Ｓ１１２）、その値に従って、トナー補給のＯＮ／ＯＦＦを制御している。つまり、トナー濃度が低い場合（ステップＳ１１３でＹＥＳと判断された場合）には、トナー補給をＯＮにして、トナー補給を行うように制御している（ステップＳ１１４）。これにより、トナー濃度を常に一定に保つようにコントロールしている。
【００１３】
また、図８は、トナーパッチによる中間調ガンマ補正処理を簡単に示したフローチャートである。この中間調ガンマ補正処理では、予め定められた固定入力値による中間調パターン（トーン）でトナーパッチを感光体あるいは転写ベルト上等に形成し（ステップＳ１２１〜ステップＳ１２３）、そのトナーパッチを光学センサ等の読み取り装置で反射光量を読み取る（ステップＳ１２４）。次に、この読み取ったトナーパッチのセンサ出力値と、目標値となる基準ターゲット値とを比較して、補正量を算出する（ステップＳ１２５）。そして、この算出された補正量に従って、現在の中間調ガンマ補正テーブルを修正し（ステップＳ１２６）、これにより、常に一定の中間調ガンマ特性が得られるようにコントロールしている。
【００１４】
次に、上述したトナー消費量の算出について、詳しく説明する。なお、以下に述べる処理は、ＣＭＹＫ各色について（入力されるＣＭＹＫ信号ごとに）、それぞれ行われるものとする。
【００１５】
ピクセルカウント部１７０は、入力された多値画像に対して、後述するようなピクセルカウントを行う。ピクセルカウント部１７０は、図５に示すように、カウント手段１７１と、重み付け演算手段１７２と、重み付け係数テーブル１７３と、積算手段１７４とを備えている。
【００１６】
カウント手段１７１は、入力された多値画像（例えば、１６階調、２５６階調等の多階調の画像）をピクセルごとにカウントする。つまり、多値画像を構成するピクセルごとの入力値（階調）、例えば、０〜１５（入力信号値が０〜１５の値をとる１６階調の場合）のような入力信号値をカウントする。
【００１７】
重み付け演算手段１７２は、カウント手段１７１によりピクセルをカウントする際にピクセルごとに重み付けを行う。具体的には、重み付け演算手段１７２は、ピクセルごとの入力信号値に対応する重み付け係数を重み付け係数テーブル１７３から取得して、入力信号値に取得した重み付け係数を掛け合わせる。重み付け係数テーブル１７３には、重み付け演算手段１７２により重み付けを行う際にピクセル入力値ごとに対応する重み付け係数が格納されている。このように、ピクセルカウント部１７０では、カウント手段１７１、重み付け演算手段１７２、重み付け係数テーブル１７３によりピクセルごとのピクセルカウントを行っている。
【００１８】
そして、ピクセルごとに行われたピクセルカウントの積算が積算手段１７４により行われる。つまり、積算手段１７４は、重み付け演算手段１７２による入力信号値に重み付け係数を掛け合わせたピクセルごとの演算値を、入力された多値画像の全てのピクセルについて積算する。このように、ピクセルカウント部１７０で算出されたピクセルカウントの積算値に基づいて、トナー消費量算出部１８０は、出力画像のトナー消費量を算出するようにしている。
【００１９】
上記の重み付け係数テーブル１７３に格納されている重み付け係数は、予め定められた固定の値となっている。入力信号値が０〜１５の値をとる１６値の入力信号値である場合の重み付け係数テーブル１７３の一例を、次の表１に示す。
【００２０】
【表１】
2006023392.tif 000003
【００２１】
表１の場合、トナー消費量の違う入力信号値に対応して４つのエリア（エリア１〜エリア４）に分けられ、エリアごとに重み付け係数が定められている。ピクセルカウントの際には、４つのエリアに分けられた重み付け係数が、０〜１５の値をとるそれぞれの入力信号値に対応して決定され、重み付けが行われる。
【００２２】
図９は、表１に示す４つのエリアに分けられた重み付け係数テーブルの信号入力値とそれに対応する重み付け係数との関係を示している。図９に示すように、矩形部分の面積の総和がトナー消費量特性を示す曲線の面積と略一致しているため、重み付け後のピクセルカウントの積算値からトナー消費量を予測計算することができる。
【００２３】
なお、トナー消費率が極めて小さい画像を連続して印字する場合に、トナー薄層ムラを効率的に防止するようにした画像形成装置が提案されている（例えば、特許文献１参照）。具体的には、画素数カウンタと、記録枚数カウンタと、トナー消費手段を有し、トナー消費手段を有し、所定の記録枚数の間に所定値以下の画素数をカウントした場合には、プロセスコントロール実行時、トナー消費手段による消費動作を実行する判断を行うとともに、消費動作を実行する際にはプロセスコントロールのトナーパッチ作成と同時にトナー消費手段を作成するようにした画像形成装置が示されている。
【００２４】
【特許文献１】特開２００２−２８７４９９号公報
【発明の開示】
【発明が解決しようとする課題】
【００２５】
しかしながら、従来のデジタル複写機のような電子写真装置では、次のような問題点があった。
【００２６】
上述したように、ピクセルカウントを行って、出力画像のトナー消費量を算出する場合、重み付け係数テーブルとして、予め定められた固定の重み付け係数を格納するものが用いられていた。ところが、このような重み付け係数テーブルを用いた場合には、図９に示すように、ある入力信号値に対して重み付け係数テーブルから決定される重み付け係数が、その入力信号値に対するトナー消費量特性を示す曲線上の値と、かなり異なる場合がある。このため、重み付け後のピクセルカウントの積算値からトナー消費量を正確に算出できないという問題点がある。
【００２７】
この場合、例えば、図１０に示すように、入力信号値のとりうる値の数だけ、つまり、入力信号の階調数分だけ重み付け係数を割り当てた重み付け係数テーブルを用いることによって、実際のトナー消費量特性と、ピクセルカウントにより算出されるトナー消費量との差を小さくする方法が考えられる。しかし、機差やライフ等でトナー消費量特性が、図１０の実線で示す曲線Ｄから破線で示す曲線Ｅに変化した場合等には、重み付け係数テーブルの階調を上げただけでは、トナー消費量特性の変化に追従できず、実際のトナー消費量特性と、ピクセルカウントにより算出されるトナー消費量との差は縮まらず、正確にトナー消費量を算出できないという問題点がある。
【００２８】
本発明は、上述した従来技術の問題点を鑑みてなされたものであり、機差やライフ等に関係なくトナー消費量を正確に算出できるような画像形成装置を提供することを目的とする。
【課題を解決するための手段】
【００２９】
本発明は、上述の課題を解決するための手段を以下のように構成している。すなわち、画像情報に対する画像処理および補正処理をデジタル的に行い、入力される多値画像のピクセルカウントを行ってトナー消費量の算出を行う画像形成装置において、入力された多値画像の入力信号値をピクセルごとにカウントするカウント手段と、前記入力信号値に対応する重み付け係数を格納する重み付け係数テーブルと、前記カウント手段により入力信号値をカウントする際に、入力信号値に対応する重み付け係数を前記重み付け係数テーブルから取得して、ピクセルごとに重み付けを行う重み付け演算手段とを備え、前記重み付け係数テーブルに格納される重み付け係数を可変としたことを特徴とする。
【００３０】
このような構成の画像形成装置によれば、機差やライフ等で実際のトナー消費量特性が変化した場合であっても、このトナー消費量特性の変化に追従させて、重み付け係数テーブルに格納される重み付け係数を変化させることによって、トナー消費量特性の算出を最適化することができる。この結果、機差やライフ等に関係なくトナー消費量を正確に算出することができる。
【００３１】
また、本発明は、画像情報に対する画像処理および補正処理をデジタル的に行い、入力される多値画像のピクセルカウントを行ってトナー消費量の算出を行う画像形成装置において、入力された多値画像の入力信号値をピクセルごとにカウントするカウント手段と、前記入力信号値に対応する重み付け係数を格納する重み付け係数テーブルと、前記カウント手段により入力信号値をカウントする際に、入力信号値に対応する重み付け係数を前記重み付け係数テーブルから取得して、ピクセルごとに重み付けを行う重み付け演算手段と、前記重み付け係数テーブルに格納される重み付け係数を書き換える書き換え手段とを備えることを特徴とする。
【００３２】
より具体的には、前記書き換え手段は、互いにトーンが異なる複数のトナーパッチを感光体または転写ベルト上に形成し、これら複数のトナーパッチを読み取り手段により読み取り、このトナーパッチの読み取り結果に基づいて中間調ガンマ特性を算出し、この算出された中間調ガンマ特性に従って前記重み付け係数テーブルに格納される重み付け係数を書き換えることを特徴とする。
【００３３】
このような構成の画像形成装置によれば、機差やライフ等で実際のトナー消費量特性が変化した場合であっても、このトナー消費量特性の変化に追従させて、重み付け係数テーブルの重み付け係数を書き換えることができ、トナー消費量特性の算出を最適化することができる。この結果、機差やライフ等に関係なくトナー消費量を正確に算出することができる。
【発明の効果】
【００３４】
本発明は、上述のような構成であるから、トナー消費量特性の算出を最適化することができ、機差やライフ等に関係なくトナー消費量を正確に算出することができる。
【発明を実施するための最良の形態】
【００３５】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００３６】
図１は、本発明を適用する画像形成装置（デジタル電子写真装置）における画像処理を示す制御ブロック図である。図１に示すように、デジタル電子写真装置には、入力信号処理部１０、領域分離処理部２０、色補正・黒生成処理部３０、ズーム変倍処理部４０、空間フィルタ処理部５０、中間調補正処理部６０、ピクセルカウント部７０、トナー消費量算出部（トナー消費量算出手段）８０が備えられている。そして、デジタル電子写真装置において、図示しないスキャナ等で読み込まれた原稿のデジタル入力画像信号は、入力信号処理部１０、領域分離処理部２０、色補正・黒生成処理部３０、ズーム変倍処理部４０、空間フィルタ処理部５０、中間調補正処理部６０を経て、出力画像信号として出力される。
【００３７】
このような構成のデジタル電子写真装置における画像処理について説明する。
【００３８】
入力信号処理部１０では、図示しないスキャナ等で読み込まれた原稿のデジタル入力画像信号に対して、それ以降の画像処理に対する前処理や、画像調整における入力ガンマ補正、変換等が行われる。
【００３９】
領域分離処理部２０では、文字領域、網点写真領域等の領域判定が行われ、領域ごとにそれを示す識別信号（領域分離識別信号）が付加される。この領域分離識別信号は、以降の処理である空間フィルタ処理部５０や中間調補正処理部６０において、各領域別に異なった処理、例えば網点領域であれば平滑フィルタ処理をその領域に対して行い、また、文字領域であればエッジ強調フィルタ処理を行ったり、中間調のガンマ特性を濃淡差のよりはっきりした特性に変更したりする場合に用いられる。
【００４０】
色補正・黒生成処理部３０では、領域分離処理部２０から送られてきたＲＧＢの画像信号に対して、最終的な出力方法であるＣＭＹＫ（イエロー、マゼンタ、シアン、ブラック）の画像信号に変換する。ズーム変倍処理部４０では、色補正・黒生成処理部３０により変換されたＣＭＹＫの画像信号に対して、変倍処理を行う。
【００４１】
空間フィルタ処理部５０では、上述した領域分離識別信号や画像モードの設定状態等に応じた空間フィルタを空間フィルタテーブルから選び、ＣＭＹＫに変換された画像信号に対して空間フィルタ処理を行う。中間調補正処理部６０では、空間フィルタ処理が行われた画像信号に対して、中間調ガンマ特性の補正を行う。そして、中間調補正処理部６０での中間調補正処理後の画像信号が出力画像信号として出力される。
【００４２】
ピクセルカウント部７０では、中間調補正処理部６０における中間調補正処理後の画像信号に対して、ピクセル単位でＣＭＹＫ信号ごとに重み付け係数を掛け合わせながらピクセルカウントを行う。トナー消費量算出部８０では、ピクセルカウントの積算値から各色（ＣＭＹＫ）のトナー消費量を算出する。
【００４３】
以下では、デジタル電子写真装置におけるトナー消費量を算出する処理について詳しく説明する。なお、以下に述べる処理は、ＣＭＹＫ各色について（入力されるＣＭＹＫ信号ごとに）、それぞれ行われるものとする。
【００４４】
ピクセルカウント部７０は、入力された多値画像に対して、後述するようなピクセルカウントを行う。ピクセルカウント部７０は、図１に示すように、カウント手段７１と、重み付け演算手段７２と、重み付け係数テーブル７３と、積算手段７４と、書き換え手段７５とを備えている。
【００４５】
カウント手段７１は、入力された多値画像（例えば、１６階調、２５６階調等の多階調の画像）をピクセルごとにカウントする。つまり、多値画像を構成するピクセルごとの入力値（階調）、例えば、０〜１５（入力信号値が０〜１５の値をとる１６階調の場合）のような入力信号値をカウントする。
【００４６】
重み付け演算手段７２は、カウント手段７１によりピクセルをカウントする際にピクセルごとに重み付けを行う。具体的には、重み付け演算手段７２は、ピクセルごとの入力信号値に対応する重み付け係数を重み付け係数テーブル７３から取得して、入力信号値に取得した重み付け係数を掛け合わせる。重み付け係数テーブル７３には、重み付け演算手段７２により重み付けを行う際にピクセル入力値ごとに対応する重み付け係数が格納されている。このように、ピクセルカウント部７０では、カウント手段７１、重み付け演算手段７２、重み付け係数テーブル７３によりピクセルごとのピクセルカウントが行われる。
【００４７】
そして、ピクセルごとに行われたピクセルカウントの積算が積算手段７４により行われる。つまり、積算手段７４は、重み付け演算手段７２による入力信号値に重み付け係数を掛け合わせたピクセルごとの演算値を、入力された多値画像の全てのピクセルについて積算する。書き換え手段７５は、後述するように、重み付け係数テーブル７３を書き換える。トナー消費量算出部８０は、ピクセルカウント部７０で算出された（積算手段７４により積算された）ピクセルカウントの積算値に基づいて出力画像のトナー消費量を算出する。
【００４８】
図２を用いて、１ピクセル分のトナー消費量の算出について説明する。図２に示すように、多値画像を構成する１ピクセル分の信号がピクセルカウント部７０に入力されると（ステップＳ１１）、カウント手段７１により入力信号値がカウントされる。次に、重み付け演算手段７２により、重み付け係数テーブル７３から入力信号値に対応する重み付け係数が取得され（ステップＳ１２）、入力信号値に取得された重み付け係数が掛け合わせられる（ステップＳ１３）。このようにして求められた１ピクセル分のピクセルカウントの値に基づいて、１ピクセル分のトナー消費量がトナー消費量算出部８０により算出されることとなる。なお、ステップＳ１３において、１ピクセル分の求められたピクセルカウント値は、積算手段７４により順次積算されて、ピクセルカウント積算値として保存される（ステップＳ１４）。ピクセルカウント積算値は、入力された全てのピクセル分のピクセルカウント値であり、このピクセルカウント積算値に基づいて、出力画像のトナー消費量がトナー消費量算出部８０により算出される。
【００４９】
図３、図４を用いて、重み付け係数テーブル７３の書き換えについて説明する。重み付け係数テーブル７３に格納される重み付け係数は、従来とは異なって可変であり、書き換え手段７５により書き換え可能となっている。入力信号値が０〜１５の値をとる１６値の入力信号値である場合の重み付け係数テーブル７３の一例を、次の表２に示す。
【００５０】
【表２】
2006023392.tif 000004
【００５１】
表２において、０〜１５の各入力信号値に対応する重み付け係数（Ｘ０〜Ｘ１５）は、それぞれ可変となっている。そして、Ｘ０〜Ｘ１５の各重み付け係数は、書き換え手段７５により次のようにして書き換えられる。
【００５２】
まず、トナー濃度の補正を行った後（ステップＳ２１）、図３のポイントＡ〜Ｃで示すような、互いにトーンが異なる複数のトナーパッチを感光体あるいは転写ベルト上等に形成する（ステップＳ２２）。つまり、予め定められた複数の入力ポイントのハーフトーントナーパッチを感光体あるいは転写ベルト上等に形成する。そして、そのトナーパッチを光学センサ等の読み取り手段で反射光量を読み取る（ステップＳ２３）。図３では、縦軸が光学センサ等の読み取り手段のセンサ出力、横軸が信号入力値（階調）である。入力ポイントの数は特に限定されないが、３点以上であることが望ましい。なお、以上のステップＳ２１〜Ｓ２３までの手順は、上記従来技術の欄で述べた図４に示す中間調ガンマ補正処理におけるステップＳ１２２〜ステップＳ１２４の手順と同様であるので、この中間調ガンマ補正処理の結果を利用して、以下の手順を行うようにしてもよい。
【００５３】
続いて、複数の入力ポイントのトナーパッチのセンサ出力に基づいて、図３の破線で示すような中間調ガンマ特性を算出する（ステップＳ２４）。算出された中間調ガンマ特性に基づいて、さらに、図３の実線で示すような信号入力値に対するトナー消費量特性を算出する（ステップＳ２５）。このように算出されたトナー消費量特性に基づいて重み付け係数を決定して、重み付け係数テーブル７３に格納されている重み付け係数を決定された重み付けに書き換えていく（ステップＳ２６）。表２の場合、０〜１５の各入力信号値に対応するＸ０〜Ｘ１５の各重み付け係数が、トナー消費量特性に従って書き換えられる。
【００５４】
このように、書き換え手段７５により書き換えられた重み付け係数を用いて、ピクセルカウント部７０において入力された多値画像のピクセルカウントが行われ、トナー消費量算出部８０において出力画像のトナー消費量が算出される。
【００５５】
これにより、機差やライフ等で実際のトナー消費量特性が変化した場合であっても、このトナー消費量特性の変化に追従させて、重み付け係数テーブル７３の書き換えを行うことができ、トナー消費量特性の算出を最適化することができる。この結果、機差やライフ等に関係なくトナー消費量を正確に算出することができる。つまり、書き換え手段７５により書き換えられる重み付け係数テーブル７３を用いて算出されるトナー消費量と、実際のトナー消費量との誤差を小さく抑えることができる。
【図面の簡単な説明】
【００５６】
【図１】本発明を適用する画像形成装置における画像処理を示す制御ブロック図である。
【図２】１ピクセル分のトナー消費量算出の処理を示すフローチャートである。
【図３】重み付け係数テーブルの書き換えの様子を示す図である。
【図４】重み付け係数テーブルの書き換えの処理を示すフローチャートである。
【図５】従来の画像形成装置における画像処理を示す制御ブロック図である。
【図６】従来の画像形成装置における画像処理を示すフローチャートである。
【図７】トナー濃度コントロール処理を簡単に示したフローチャートである。
【図８】トナーパッチによる中間調ガンマ補正処理を簡単に示したフローチャートである。
【図９】従来の重み付け係数テーブルの信号入力値とそれに対応する重み付け係数との関係を示す図である。
【図１０】従来の重み付け係数テーブルの信号入力値とそれに対応する重み付け係数との関係を示す図である。
【符号の説明】
【００５７】
１０  入力信号処理部
２０  領域分離処理部
３０  色補正・黒生成処理部
４０  ズーム変倍処理部
５０  空間フィルタ処理部
６０  中間調補正処理部
７０  ピクセルカウント部
７１  カウント手段
７２  重み付け演算手段
７３  重み付け係数テーブル
７４  積算手段
７５  書き換え手段
８０  トナー消費量算出部
【図１】
2006023392.tif 000005
【図２】
2006023392.tif 000006
【図３】
2006023392.tif 000007
【図４】
2006023392.tif 000008
【図５】
2006023392.tif 000009
【図６】
2006023392.tif 000010
【図７】
2006023392.tif 000011
【図８】
2006023392.tif 000012
【図９】
2006023392.tif 000013
【図１０】
2006023392.tif 000014